(57)【要約】      （修正有）【課題】正面から光を出射できる光ガイド手段を有する車用ＬＥＤバルブを提供する。【解決手段】車用ＬＥＤバルブは、回路基板及びベースを備え、回路基板の側面には、ＬＥＤチップ１１が設置され、回路基板は、ベース内に設置され、ベースには、貫通穴、第一突出部２２及び第二突出部２３が設置され、貫通穴は、第一突出部と第二突出部との間に位置し、第一突出部には、第一反射面２２１が設置され、第二突出部内には、光ガイド手段３が設置され、光ガイド手段は、車用ＬＥＤバルブの先端部に位置し、第一反射面は、光ガイド手段に向けて設置され、ＬＥＤチップは、貫通穴内に位置し、しかも、ＬＥＤチップは、第一反射面と光ガイド手段とに向けて光ビームをそれぞれ出射し、第一反射面は、光ガイド手段に光ビームを反射する。【選択図】図１
0003234995.tif 000002
【実用新案登録請求の範囲】
【請求項１】
光ガイド手段を有する車用ＬＥＤバルブであって、
回路基板の側面にＬＥＤチップが設置される回路基板と、
ベースであって、前記回路基板は、前記ベースに設置され、前記ベースには、貫通穴、
第一突出部及び第二突出部が設置され、前記貫通穴は、前記第一突出部と前記第二突出部
との間に位置し、前記第一突出部には、第一反射面が設置され、前記第二突出部内には、
光ガイド手段が設置され、前記光ガイド手段は、前記車用ＬＥＤバルブの先端部に位置し
、前記第一反射面は、前記光ガイド手段に向けて設置されるベースと、を備え、
前記ＬＥＤチップは、前記貫通穴内に位置し、しかも、前記ＬＥＤチップは、前記第一
反射面と前記光ガイド手段とに光ビームをそれぞれ出射し、前記第一反射面は、前記光ガ
イド手段に向けて光ビームを反射する、ことを特徴とする、光ガイド手段を有する車用Ｌ
ＥＤバルブ。
【考案の詳細な説明】
【技術分野】
【０００１】
本考案は、自動車のバルブの分野に関し、特に、光ガイド手段を有する車用ＬＥＤバル
ブに関する。
【背景技術】
【０００２】
従来技術における方向指示器やブレーキランプは、その多くがハロゲンランプであるが
、一部に車用ＬＥＤバルブが存在する。従来における一種類の車用ＬＥＤバルブがトウモ
ロコシのような形状と類似しており、バルブ主体が五つの周壁を有し、断面が正五角形を
呈し、各周壁に複数のＬＥＤチップがそれぞれ設置されるが、このようなバルブには、正
面から光を出射できないという問題が存在している。
【考案の概要】
【考案が解決しようとする課題】
【０００３】
本考案は、正面から光を出射できる光ガイド手段を有する車用ＬＥＤバルブを提供する
ことを目的とする。
【課題を解決するための手段】
【０００４】
本考案は、上記の目的を実現するために、回路基板及びベースを備え、回路基板の側面
にはＬＥＤチップが設置され、回路基板はベース内に設置され、ベースには、貫通穴、第
一突出部及び第二突出部が設置され、貫通穴は、第一突出部と第二突出部との間に位置し
、第一突出部には、反射面が設置され、第二突出部内には、ガイド手段が設置され、光ガ
イド手段は、車用ＬＥＤバルブの先端部に位置し、第一反射面は、光ガイド手段に向けて
設置され、ＬＥＤチップは、貫通穴内に位置し、しかも、ＬＥＤチップは、第一反射面及
び光ガイド手段に光ビームをそれぞれ出射し、第一反射面は、光ガイド手段に向けて光ビ
ームを反射する、光ガイド手段を有する車用ＬＥＤバルブを提供する。
【０００５】
上記の態様によると、ＬＥＤチップの出射する光ビームの一部を変更し、当該光ビーム
が車用ＬＥＤバルブの正面から出射できるように、車用ＬＥＤバルブの先端部に光ガイド
手段を設置することにより、正面から光を出射する機能を実現することができ、ＬＥＤチ
ップの出射する光ビームの他の部分が第一反射面を経て光ガイド手段に反射できるように
、チップの後側に第一反射面を設置することにより、正面から光を出射する光量を増やし
、照明の輝度を高めることができる。
【０００６】
好ましくは、第二突出部には第二反射面が設置され、第二反射面は、光ガイド手段の周
方向に位置し、第二反射面は、車用ＬＥＤバルブの後端に向けて設置される。
【０００７】
上記の態様によると、ＬＥＤチップの出射する他のもう一部が光ビームを後端に反射す
るように、ＬＥＤチップ先端に第二反射面を設置することにより、後端の発光輝度を増や
すことができる。
【０００８】
好ましくは、第一反射面及び第二反射面は、共に、凹面にて設けられ、第一反射面の最
大直径が第二反射面の最小直径よりも大きく、しかも、第二反射面の最大直径よりも小さ
い。
【０００９】
好ましくは、ベースには、二つの固定手段が備えられ、回路基板は、二つの固定手段間
に設置され、二つの固定手段に設置される貫通穴が対応して分布され、二つの固定手段に
設置される第一反射面が対応して分布され、二つの固定手段に設置される第二反射面が対
応して分布され、回路基板における対向する両側表面には、それぞれ、ＬＥＤチップが設
置され、ＬＥＤチップは、対応する貫通穴内に位置する。
【００１０】
好ましくは、二つの第二突出部間には、両端において貫通される光ガイド手段取り付け
穴が設置され、光ガイド手段取り付け穴の軸線は、二つのＬＥＤチップの中央位置に位置
し、ＬＥＤチップから出射される光ビームは、光ガイド手段取り付け穴内に進入すること
が可能である。
【００１１】
好ましくは、前記光ガイド手段取り付け穴は、二つの内側に、それぞれ、二つのラグ取
り付け穴が設置され、ラグ取り付け穴は、光ガイド手段取り付け穴の穴壁から外部に凹ま
れ、第二突出部は、複数の溝が外部に設置され、複数の溝は、光ガイド手段取り付け穴の
軸方向に沿って並べられており、溝は、第二突出部の外周壁から内部に凹まれ、ラグ取り
付け穴によりそれと隣接する二つの溝が連通される。
【００１２】
好ましくは、光ガイド手段は、胴体及び二つのラグが備えられ、二つのラグは、胴体に
おける対向する両側に設置され、ラグは、二つの係合台が設置され、二つの係合台は、光
ガイド手段の軸方向に沿ってずれて設置され、光ガイド手段は、光ガイド手段取り付け穴
内に設置され、ラグは、ラグ取り付け穴を貫通し、しかも、係合台は、溝の底部と溝の溝
壁と同時に隣接する。
【００１３】
好ましくは、光ガイド手段は、ＬＥＤチップと近い一方端が平面とされ、ＬＥＤチップ
から離れる一方端が凸面とされる。
【００１４】
上記の態様によると、光ビームの出射側に凸面を設置することにより、光ビームを散乱
させ、車用ＬＥＤバルブの照明範囲を広げることができる。
【００１５】
好ましくは、凸面は、粗面化された処理面とされる。
【考案の効果】
【００１６】
上記の態様によると、粗面化された処理面を設置することにより、出射した光ビームを
より均一にすることができる。
【図面の簡単な説明】
【００１７】
【図１】本考案の実施例におけるある視点での構造図である。
【図２】本考案の実施例における他の視点での構造図である。
【図３】本考案の実施例の分解図である。
【図４】本考案の実施例の正面図である。
【図５】図４におけるＡ−Ａに沿う断面図である。
【図６】図５におけるＢ−Ｂに沿う断面図である。
【図７】本考案の実施例における光ガイド手段の構造図である。
【考案を実施するための形態】
【００１８】
以下に、図面を参照しながら、本考案を詳しく説明していく。
【００１９】
図１及び図２を参照すると、本実施例に係る光ガイド手段を有する車用ＬＥＤバルブは
、回路基板１及びベースを備える。ベースは、二つの固定手段２を備える。回路基板１は
、二つの固定手段２間に設置される。固定手段２は、貫通穴２１、第一突出部２２及び第
二突出部２３が設置され、第二突出部２３は、車用ＬＥＤバルブの先端に設置され、貫通
穴２１は、第一突出部２２と第二突出部２３との間に位置し、貫通穴２１は、固定手段２
を厚さ方向に貫通し、第一突出部２２及び第二突出部２３は、共に、固定手段２から回路
基板１の一側に背離して外部へ突出し、しかも、第二突出部２３の突出高さが第一突出部
２２の突出高さより大きい。二つの固定手段２に設置される貫通穴２１が対応して分布さ
れ、二つの固定手段２に設置される第一突出部２２が対応して分布され、二つの固定手段
２に設置される第二突出部２３が対応して分布される。回路基板１における対向する両側
の表面には、それぞれ、ＬＥＤチップ１１が設置され、二つのＬＥＤチップ１１が対向し
て設置され、ＬＥＤチップ１１は、対応する貫通穴２１内に位置し、外側に光ビームを出
射する。第二突出部２３は、放熱器を構成し、放熱器を介して、ＬＥＤチップ１１に生じ
た熱量を放出させることができる。
【００２０】
図３を参照すると、第二突出部２３は、その内側に半分の穴が設置され、二つの第二突
出部２３間には、両端において貫通される光ガイド手段取り付け穴２４が形成され、光ガ
イド手段取り付け穴２４は、その軸線が車用ＬＥＤバルブの前後方向に沿って延出する。
しかも、光ガイド手段取り付け穴２４は、その軸線が二つのＬＥＤチップ１１の中央位置
に位置する。光ガイド手段取り付け穴２４内には、光ガイド手段３が設置され、ＬＥＤチ
ップ１１から出射される光ビームは、少なくとも、一部が光ガイド手段取り付け穴２４内
に進入することが可能であり、しかも、光ガイド手段３による光ガイドの働きにより、車
用ＬＥＤバルブの正面から射出することが可能である。
【００２１】
光ガイド手段取り付け穴２４は、軸方向に、深さが光ガイド手段３の厚さよりも大きく
、光ガイド手段３は、光ガイド手段取り付け穴２４の先端に設置され、本実施例に係る先
端とは、車用ＬＥＤバルブから出射される光ビームの一方端を意味し、後端とは、先端と
対向する一方端を意味する。光ガイド手段３と光ガイド手段取り付け穴２４の後端との間
には、中空空間２４１を有する。光ビームは、その一部が直接に光ガイド手段３内に進入
し、他の部分が斜めの角度で中空空間２４１内に進入しながら、光ガイド手段取り付け穴
２４の穴壁に反射する役割で光ガイド手段３に進入することから、光ガイド手段３に進入
した光ビームの光量を高めることができる。当該反射は、鏡面反射又は乱反射であっても
よい。
【００２２】
図４及び図５を参照すると、図２を組み合わせる上で、第一突出部２２におおけるＬＥ
Ｄチップ１１に向かう一側には、第一反射面２２１が設置され、第一反射面２２１は、凹
面にて設けられ、しかも、先端に向けて分布される。第一反射面２２１は、その最大直径
が光ガイド手段取り付け穴２４の直径と近い（言い換えると、その最大直径が、光ガイド
手段取り付け穴２４の直径よりも、やや小さく、等しく、又は、やや大きくてもよい）。
第一反射面２２１は、ＬＥＤチップ１１から出射される光ビームの一部を光ガイド手段３
内に反射して、正面から光を出射する光量を増やし、正面から光を出射する照明輝度を高
めることができる。
【００２３】
第二突出部２３には、第二反射面２４２が設置され、第二反射面２４２は、光ガイド手
段取り付け穴２４の周方向に位置し、凹面にて設けられ、しかも、回路基板１の後端に向
けて分布される。ＬＥＤチップ１１から第一反射面２２１までの距離は、ＬＥＤチップ１
１から第二反射面２４２までの距離よりも小さい。第一反射面２２１は、その最大直径が
第二反射面２４２の最小直径よりも大きく、しかも、第二反射面２４２の最大直径よりも
小さいようにすることにより、ＬＥＤチップ１１から出射される光ビームの一部が第二反
射面２４２を経て反射してから車用ＬＥＤバルブの後端に照射することが可能である。
【００２４】
二つの固定手段２に設置される第一反射面２２１は、対応して分布され、二つの固定手
段２に設置される第二反射面２４２は、対応して分布される。そうすると、車用ＬＥＤバ
ルブにおける両側の光ビームを均一に照射することができる。
【００２５】
車用ＬＥＤバルブは、バルブモジュール内に取り付けられてもよく、ただし、バルブモ
ジュールは、反射部（図示せず）を有し、反射部は、回路基板１の後端に設置され、回路
基板１の先端に向けて分布され、光ビームは、第二反射面２４２により反射部に反射する
と、反射部により車用ＬＥＤバルブの先端に反射される。そうすると、車用ＬＥＤバルブ
全体による照明輝度を高めることができる。
【００２６】
図６及び図７を参照すると、図４を組み合わせる上で、光ガイド手段３は、胴体３１及
び二つのラグ３２を備える。二つのラグ３２は、胴体３１における対向する両側に設置さ
れる。胴体３１は、円柱状とされ、ＬＥＤチップ１１と近い一方端が平面３１２とされ、
他方端が凸面３１１とされる。凸面３１１は、車用ＬＥＤバルブに向ける先端が突出し、
粗面化の処理により、粗面化された処理面が形成される。ラグ３２は、所定の高さを有し
、高さ方向が光ガイド手段３の軸方向と平行し、両側に、それぞれ、係合台３３が設置さ
れる。二つの係合台３３は、ラグ３２の高さ方向にずれて分布され、つまり、ラグ３２に
おける二つの対角に設置される。
【００２７】
第二突出部２３は、その内部に、二つのラグ取り付け穴２４３が設置され、二つのラグ
取り付け穴２４３は、光ガイド手段取り付け穴２４の両側に設置される。ラグ取り付け穴
２４３は、光ガイド手段取り付け穴２４の穴壁から外部に凹まれる。
【００２８】
第二突出部２３は、その外側に、複数の溝２４４が設置され、複数の溝２４４は、第二
突出部２３の軸方向に沿って並べて設置され、第二突出部２３の外周壁からその中心に凹
まれ、ラグ取り付け穴２４３により、それと隣接する二つの溝２４４が連通され、ラグ取
り付け穴２４３の中部には、二つの溝２４４間に位置する。
【００２９】
光ガイド手段３は、光ガイド手段取り付け穴２４内に設置され、ラグ３２は、ラグ取り
付け穴２４３を貫通し、しかも、同一ラグ３２における二つの係合台３３がそれぞれ、両
側の溝２４４内に位置する。また、係合台３３が溝２４４の底部と隣接すると、光ガイド
手段３が沿光ガイド手段取り付け穴２４の径向に沿って移動することを制限することがで
き、さらに、係合台３３が溝２４４の溝壁と隣接すると、光ガイド手段３が光ガイド手段
取り付け穴２４の軸方向に沿って移動することを制限することができる。
【００３０】
以上より、本考案には、ＬＥＤチップから出射される光ビームの一部を変更し、当該光
ビームが車用ＬＥＤバルブの正面から出射できるように、車用ＬＥＤバルブの先端部に光
ガイド手段を設置することにより、正面から光を出射する機能を実現することができ、Ｌ
ＥＤチップから出射される光ビームの他の部分が第一反射面を経て光ガイド手段内に反射
できるように、ＬＥＤチップの後側に第一反射面を設置することにより、正面から光を出
射する量を増やし、照明輝度を高めることができる。
【００３１】
最後に、強調したいところは、以上に説明したものが本考案の好ましい実施例に過ぎず
、本考案を限定するものではない。本考案には、各種の変化や変形があり、本考案の趣旨
や原則においてなされたあらゆる補正、均等置換や改良などが、いずれも、本考案の保護
範囲に含まれているということが当業者にとって明らかである。
【図１】
0003234995.tif 000003
【図２】
0003234995.tif 000004
【図３】
0003234995.tif 000005
【図４】
0003234995.tif 000006
【図５】
0003234995.tif 000007
【図６】
0003234995.tif 000008
【図７】
0003234995.tif 000009